(57)【特許請求の範囲】
【請求項１】
一対の端子が底に設けられる複数の凹部が表面側に開口を有するように形成されるとともに、裏面側に上記一対の端子の一方にそれぞれ接続される配線および上記一対の端子の他方に共通して接続される共通配線が接続されるレセプタクル側コネクタが裏面側に配置され、
表面側に機器が設けられるとともに、裏面側に上記機器に接続される一部が突出するように端子が設けられるパッドを上記凹部に嵌め込み、且つ制御装置から延びるケーブルの先端に設けられるプラグ側コネクタを上記レセプタクル側コネクタに結合することにより上記機器と上記制御装置とを接続することを特徴とする配電盤用表示・操作シート。
【請求項２】
上記機器は、表示灯、スイッチであることを特徴とする請求項１に記載の配電盤用表示・操作シート。
【請求項３】
一対の端子が底に設けられる複数の凹部が表面側に開口を有するように形成されるとともに、裏面側に上記一対の端子の一方にそれぞれ接続される配線および上記一対の端子の他方に共通して接続される共通配線が接続されるレセプタクル側コネクタが配置され、且つ筐体の内側に貼られ、
表示灯が表面に設けられるとともに、上記表示灯に接続され且つ磁束を捕捉するコイルが裏面に設けられる第１のパッドに絶縁体を介して対向する位置の上記凹部に、表面側に電磁誘導コイルが設けられるとともに、裏面側に上記電磁誘導コイルに接続された一部が突出するように端子が設けられるパッドを嵌め込み、且つ制御装置から延びるケーブルの先端に設けられるプラグ側コネクタを上記レセプタクル側コネクタに結合することにより上記表示灯と上記制御装置とを電磁誘導により接続することを特徴とする配電盤用表示・操作シート。
【発明の詳細な説明】
【技術分野】
【０００１】
この発明は、表示灯や操作スイッチなどの機器が取付けられる配電盤用表示・操作シートに関するものである。
【背景技術】
【０００２】
従来、配電盤に表示灯及び操作スイッチなどの機器を取付ける場合は、配電盤の盤面または扉部に機器ごとに取付け用の穴を空け、その穴に機器を取付けた後、配線処理を行っている（例えば、特許文献１参照）。
【先行技術文献】
【特許文献】
【０００３】
【特許文献１】特開平８−７９９１８号公報
【発明の概要】
【発明が解決しようとする課題】
【０００４】
以上のように、従来は配電盤の盤面または扉に直接機器を取付ける構造としていた。扉に表示灯を取付ける数量分の穴あけ加工を施し、そこに表示灯を取付けた後、個別に扉裏面側から配線処理を行う必要があった。
また、盤内部の扉裏面側には、配線束ねダクトや扉ロック機構及び内部に設置した他の機器などのスペースを確保する必要があり、これらのスペースには表示灯を取付けることが出来ない。そのため扉表面に機器を取付けるスペースがあっても表示灯を取付け出来ないスペースがあり、扉表面を有効に使うことが出来なかった。
また、表示灯を取付ける数量分の穴あけ加工と配線処理を必要としていた。
【０００５】
この発明は、前記のような課題を解決するためになされたものであり、機器の取付けの際に盤面または扉への穴空け加工および配線処理を最小限にし、追加の穴空け加工や配線処理無しで簡単に機器の追加や取付位置の変更ができる表示・操作シートを得ることを目的とする。
【課題を解決するための手段】
【０００６】
この発明に係る配電盤用表示・操作シートは、一対の端子が底に設けられる複数の凹部が表面側に開口を有するように形成されるとともに、裏面側に上記一対の端子の一方にそれぞれ接続される配線および上記一対の端子の他方に共通して接続される共通配線が接続されるレセプタクル側コネクタが裏面側に配置され、表面側に機器が設けられるとともに、裏面側に上記機器に接続される一部が突出するように端子が設けられるパッドを上記凹部に嵌め込み、且つ制御装置から延びるケーブルの先端に設けられるプラグ側コネクタを上記レセプタクル側コネクタに結合することにより上記機器と上記制御装置とを接続する。
【発明の効果】
【０００７】
この発明に係る配電盤用表示・操作シートは、底に底から表面方向に突出した端子が設けられた凹部が設けられ、その表示・操作シートの凹部に嵌め込むことにより表示・操作シートにパッドが固定されるとともにパッドに設けられる端子が表示・操作シートの端子と当接して電気的に接続されるので、盤面または扉に穴空けすることなく新たに機器を追加したり、機器を異なった位置に移動したりすることができる。
【図面の簡単な説明】
【０００８】
【図１】この発明の実施の形態１に係る配電盤の分解斜視図である。
【図２】この発明の実施の形態１に係る配電盤用表示・操作シートを示す平面図である。
【図３】この発明の実施の形態１に係る表示パッドの外観図である。
【図４】この発明の実施の形態２に係るスイッチパッドの外観図である。
【図５】この発明の実施の形態３に係る電磁誘導パッド及び被電磁誘導表示パッドの外観図である。
【図６】この発明の実施の形態４に係る表示パッドの外観図である。
【発明を実施するための形態】
【０００９】
以下、この発明の配電盤用表示・操作シートの好適な実施の形態につき図面を用いて説明する。
実施の形態１．
図１は、この発明の実施の形態１に係る配電盤の扉部分の分解斜視図である。
この発明の実施の形態１に係る配電盤は、図１に示すように、配電盤の内側に向く裏面に配線束ねダクト３３や扉ロック機構３２が配置された扉３０、配電盤の内部に配備される制御装置２、制御装置２から延びたケーブル３、扉３０の表面に貼り付けられる配電盤用表示・操作シート１、及び、表示パッド５を備える。
扉３０には、配電盤用表示・操作シート１を扉３０の表面に貼り付けたときレセプタクル側コネクタ４ａが貫通する穴３４が空けられている。一方、ケーブル３の一端にはプラグ側コネクタ４ｂが取付けられている。そして、レセプタクル側コネクタ４ａにプラグ側コネクタ４ｂを挿入することにより、制御装置２と配電盤用表示・操作シート１が接続される。尚、レセプタクル側コネクタ４ａとプラグ側コネクタ４ｂをまとめてコネクタ４と称することもある。
【００１０】
図２は、この発明の実施の形態１に係る配電盤用表示・操作シート１の外観斜視図である。
この発明の実施の形態１に係る配電盤用表示・操作シート１は、図２に示すように、平面的に格子状に並べられた複数の区域に区分けられている。そして、配電盤用表示・操作シート１は、各区域に表面に向かって矩形の開口を有する凹部２１が設けられている。その凹部２１の底には底から一部表面方向に突出する一対の端子１０が設けられている。
横に並んで設けられている凹部２１に設けられる一対の端子１０それぞれの一方の端子１０ａはそれぞれ配線２２により個々にレセプタクル側コネクタ４ａに接続される。横に並んで設けられている凹部２１に設けられる一対の端子１０それぞれの他方の端子１０ｂは共通配線２３によりレセプタクル側コネクタ４ａに接続される。
【００１１】
図３は、この発明の実施の形態１に係る表示パッド５の外観図である。尚、図３において、（ａ）は表示パッド５の正面図、（ｂ）は表示パッド５の側面図、（ｃ）は表示パッド５の裏面を示す斜視図である。
表示パッド５は、配電盤用表示・操作シート１の凹部２１の開口面積より少し大きな直方体であり、凹部２１に嵌め込むと凹部２１に固定される。また、表示パッド５は、表面に表示部５ａが設けられ、裏面に凹部２４が設けられ、凹部２４の中に一対の端子１１が設けられ、表示部５ａと端子１１が内部を通って接続されている。
【００１２】
次に、この発明の実施の形態１に係る配電盤への適用方法について説明する。
所望の区域に表示灯を設けるとき、表示パッド５を所望の区域に設けられている凹部２１に嵌め込む。すると、表示パッド５の端子１１が凹部２１の底から突出している端子１０に当接し電気的に接続される。このようにすることにより、表示部５ａは、端子１１、端子１０、コネクタ４及びケーブル３を介して制御装置２に接続される。
制御装置２では、表示部５ａへの電源入切制御を行う。電源入切制御で「電源入」とした場合は、端子１０から表示部５ａに電源が供給され、表示部５ａが点灯する。また「電源切」とした場合は、端子１０から表示部５ａに供給されていた電源が供給されなくなり、表示部５ａは消灯する。
【００１３】
この発明の実施の形態１に係る配電盤は、底に底から表面方向に突出した端子１１が設けられた凹部２１が設けられた配電盤用表示・操作シート１の凹部２１に表示パッド５を嵌め込むことにより配電盤用表示・操作シート１に固定されるとともに端子１１と当接して電気的に接続される端子１０が設けられる表示パッド５を備えるので、配電盤の盤面または扉３０に穴空けすることなく新たに表示灯を追加したり、表示灯を異なった位置に移動したりすることができる。
【００１４】
また、扉３０の表面と裏面の両方に関係するのはコネクタ４だけであり、扉３０の表面の機器の配置にはコネクタ４が占有する区域だけが制約を受けるので、配電盤内部の配線束ねダクト３３や扉ロック機構３２及び内部機器などが機器の配置に影響を与えないという効果を奏する。
尚、制御装置２は制御可能なものであれば装置の種類を問わない。また、配電盤用表示・操作シート１は、取付けスペースとケーブル３の接続が可能な場所であれば、配電盤以外の場所に取付けても構わない。
【００１５】
実施の形態２．
この発明の実施の形態２に係る配電盤への適用方法は、この発明の実施の形態１に係る配電盤の表示パッド５の代りにスイッチパッド６を適用することが異なり、それ以外は同様であるので、同様な部分に同じ符号を付記し説明を省略する。そして、表示パッド５の代りにスイッチパッド６を適用する。
【００１６】
図４は、この発明の実施の形態２に係るスイッチパッド６の外観図である。尚、図４において、（ａ）はスイッチパッド６の正面図、（ｂ）はスイッチパッド６の側面図、（ｃ）はスイッチパッド６の裏面を示す斜視図である。
スイッチパッド６は、表面に触れられていないときにはオフ状態を維持し、表面に触れられているときにはオン状態を維持するスイッチ６ａ及び裏面に一対の端子１２が設けられ、スイッチ６ａの両端が端子１２に内部を通って接続されている。
【００１７】
制御装置２は、ケーブル３を介して端子１０の両端に微弱な電流を流して発生する電圧を検出し、端子１０の両端が開放されているか閉じられているかを判断する。そして、開放されていると判断したときスイッチ６ａがオフされており、閉じられているときスイッチ６ａがオンされていると判定する。
【００１８】
この発明の実施の形態２に係るスイッチパッド６も、この発明の実施の形態１に係る表示パッド５と同様に、配電盤用表示・操作シート１の凹部２１に嵌め込むことにより凹部２１にスイッチパッド６が固定される。同時に、スイッチパッド６の裏面の端子１２が凹部２１の底に設けられた端子１０と当接し電気的に接続される。
【００１９】
スイッチパッド６のスイッチ６ａを押していないときは、端子１０の端子間に開回路が接続されており、端子１０の端子間が開放されていることを、ケーブル３を介して制御装置２で読み取ることで、スイッチ６ａが押されていないことを認識する。
また、スイッチパッド６のスイッチ６ａを押すと、端子１０の端子間に閉回路が接続されており、端子１０の端子間が閉じられていることを、ケーブル３を介して制御装置２で読み取ることで、スイッチ６ａが押されたことを認識する。
尚、スイッチ６ａがオンされているかオフされているかの読み取り方法およびその後の制御方法はシステムにより異なるので、上述の方法に限るものではない。
【００２０】
配電盤用表示・操作シート１を配電盤の扉３０に取付ける方法は、実施の形態１と同様に、配電盤の扉３０に配電盤用表示・操作シート１を貼り付けている。
【００２１】
この発明の実施の形態２に係る配電盤は、底に底から表面方向に突出した端子１０が設けられた凹部２１が設けられた配電盤用表示・操作シート１と、凹部２１に嵌め込むことにより配電盤用表示・操作シート１に固定されるとともに端子１０と当接して電気的に接続される端子１２が設けられるスイッチパッド６と、を備えるので、配電盤の盤面または扉３０に穴空けすることなく新たにスイッチ６ａを追加したり、スイッチ６ａを異なった位置に移動したりすることができる。
【００２２】
また、扉３０の表面と裏面の両方に関係するのはコネクタ４だけであり、扉３０の表面の機器の配置にはコネクタ４が占有する区域だけが制約を受けるので、配電盤内部の配線束ねダクト３３や扉ロック機構３２及び内部機器などが機器の配置に影響を与えないという効果を奏する。
【００２３】
実施の形態３．
この発明の実施の形態３に係る配電盤への適用方法は、この発明の実施の形態１に係る配電盤の表示パッド５の代りに電磁誘導パッド７及び被電磁誘導表示パッド８を適用し、それに伴い、筐体２０の内に配電盤用表示・操作シート１を備えるとともに筐体２０の外側に被電磁誘導表示パッド８を固定することが異なり、それ以外は同様であるので、同様な部分に同じ符号を付記し説明を省略する。そして、表示パッド５の代りに電磁誘導パッド７及び被電磁誘導表示パッド８を適用することに伴い、ケーブル３には電流が流される。
【００２４】
配電盤用表示・操作シート１は、実施の形態１に係る配電盤用表示・操作シート１と同様である。但し、配電盤用表示・操作シート１は、電磁誘導パッド７を凹部２１に嵌め込んだ後に電磁誘導パッド７の嵌め込んだ面を筐体２０に貼り付ける。
被電磁誘導表示パッド８は、筐体２０の表面に貼り付けられる。
尚、この発明の実施の形態３に係る配電盤では、電磁誘導を利用するため、電磁誘導パッド７と被電磁誘導表示パッド８の間には、絶縁物からなる筐体２０を使用する必要がある。
【００２５】
図５は、この発明の実施の形態３に係る電磁誘導パッド７及び被電磁誘導表示パッド８の外観図である。尚、図５において、（ａ）は電磁誘導パッド７及び被電磁誘導表示パッド８の斜視図、（ｂ）は電磁誘導パッド７及び被電磁誘導表示パッド８の側面図である。
【００２６】
制御装置２は、電源入切制御において「電源入」の場合、端子１０から電磁誘導パッド７に電流が流され、コイル７ａに磁束が発生する。この磁束を受けた被電磁誘導表示パッド８は、電磁誘導によりコイル８ａに電圧が発生し表示部８ｂを点灯させる。
また、制御装置２は、電源入切制御において「電源切」の場合、端子１０から電磁誘導パッド７に流されていた電流が遮断され磁束が消滅する。従って、磁束が消滅するので、被電磁誘導表示パッド８のコイル８ａに生起していた電圧が零になり表示部８ｂは消灯する。
【００２７】
このように電磁誘導を利用しているため被電磁誘導表示パッド８は電磁誘導パッド７と接触することなく表示部８ｂを点灯させることが出来る。これにより電磁誘導パッド７を嵌め込んだ配電盤用表示・操作シート１は盤の内側に貼り付けることができ、配電盤の盤面または扉３０への穴空け加工は一切不要となる。
また、被電磁誘導表示パッド８が盤面または扉３０の表面に露出させる構成となるため、被電磁誘導表示パッド８の追加、撤去、取付位置の変更においても配電盤の盤面または扉３０への穴空け加工と配電盤内部からの配線作業は一切不要である。
また、盤表面に露出するのが被電磁誘導表示パッド８だけになり盤表面が簡素化するため、表示が見易くなるという効果も期待できる。
【００２８】
実施の形態４．
この発明の実施の形態１に係る配電盤では、表示パッド５を配電盤用表示・操作シート１に嵌め込んで使用しているが、この発明の実施の形態４に係る配電盤では、図６に示すように、表示パッド５に電源ケーブル９を接続し、直接電源を供給する構造とした。
電源ケーブル９は、先端に凹部２４より少し面積の大きな直方体９ａが連結され、直方体９ａの一面に端子１４が設けられている。この端子１４には電源ケーブル９が接続されている。
そして、直方体９ａを端子１４が端子１１に当接するように凹部２４に嵌め込む。
【００２９】
電源ケーブル９からの供給電源を入切制御することにより、表示パッド５の表示部５ａの点灯・消灯を制御する。これにより表示パッド５のみで単体の表示灯として使用することができる。
【符号の説明】
【００３０】
１  配電盤用表示・操作シート、２  制御装置、３  ケーブル、４  コネクタ、４ａ  レセプタクル側コネクタ、４ｂ  プラグ側コネクタ、５  表示パッド、５ａ  表示部、６  スイッチパッド、６ａ  スイッチ、７  電磁誘導パッド、７ａ  コイル、８  被電磁誘導表示パッド、８ａ  コイル、８ｂ  表示部、９  電源ケーブル、９ａ  直方体、１０、１０ａ、１０ｂ、１１、１２、１３、１４  端子、２０  筐体、２１、２４  凹部、２２  配線、２３  共通配線、３０  扉、３１  表示灯、３２  扉ロック機構、３３  ダクト、３４  穴。
【図１】
0005615200.tif 000002
【図２】
0005615200.tif 000003
【図３】
0005615200.tif 000004
【図４】
0005615200.tif 000005
【図５】
0005615200.tif 000006
【図６】
0005615200.tif 000007